(57)【要約】【課題】原水の動きにより濾過装置に加わる力を低減する。【解決手段】濾過装置１の筒部２は、上下方向に延びる筒状であり、外部へと開放された上部開口２３を有する。繊維部４は、筒部２の上部空間に収容される繊維濾材である。繊維部４は、濾過時に隔離部３上に圧縮されて上部開口２３から内部空間２０に流入した原水中の懸濁物質を捕捉する。送出部５は、濾過時に繊維部４を通過した処理水を筒部２の下部空間から送出する。係留索８１は、筒部２を原水中に係留する。筒部２は、上部開口２３が外部の原水面よりも下方に位置し、底部２２が水底から上方に離間した状態で係留される。濾過装置１では、係留索８１により筒部２を原水中に係留して揺動可能とすることにより、原水の動きにより濾過装置１に加わる力を低減することができる。【選択図】図１
2019126750.tif 000002
【特許請求の範囲】
【請求項１】
原水を濾過して処理水を生成する濾過装置であって、
上下方向に延びる筒状であり、外部へと開放された上部開口を有する筒部と、
前記筒部の内部空間を上下に分割するとともに液体が通過可能な隔離部と、
前記隔離部の上側の空間である上部空間に収容される繊維濾材であり、濾過時に前記隔離部上に圧縮されて前記上部開口から前記内部空間に流入した原水中の懸濁物質を捕捉する繊維部と、
濾過時に前記繊維部を通過した処理水を前記隔離部の下側の空間である下部空間から送出する送出部と、
前記上部開口が外部の原水面よりも下方に位置し、前記筒部の底部が水底から上方に離間した状態で、前記筒部を原水中に係留する係留索と、
を備えることを特徴とする濾過装置。
【請求項２】
請求項１に記載の濾過装置であって、
前記係留索が、前記筒部と陸側に設けられた係留部とを接続することにより、前記筒部を原水中に吊り下げることを特徴とする濾過装置。
【請求項３】
請求項１または２に記載の濾過装置であって、
陸側の壁面に平行な接触面を有し、前記筒部の側方に配置される接触部をさらに備え、
前記接触部の前記接触面が前記壁面に接触することを特徴とする濾過装置。
【請求項４】
請求項３に記載の濾過装置であって、
前記接触部が可撓性を有することを特徴とする濾過装置。
【請求項５】
請求項１または２に記載の濾過装置であって、
前記水底から前記原水面よりも上側まで上下方向に延びる複数のガイド索をさらに備え、
前記筒部が、前記複数のガイド索に昇降可能に接続されることを特徴とする濾過装置。
【請求項６】
請求項１ないし５のいずれか１つに記載の濾過装置であって、
前記係留索の張力が調節可能であることを特徴とする濾過装置。
【請求項７】
請求項１ないし６のいずれか１つに記載の濾過装置であって、
前記筒部に接続される錘をさらに備えることを特徴とする濾過装置。
【請求項８】
請求項１ないし７のいずれか１つに記載の濾過装置であって、
前記送出部により前記下部空間から送出された処理水を貯溜する処理水貯溜部をさらに備え、
前記送出部が、前記筒部の前記下部空間から延びる可撓性を有するフレキシブル配管を備えることを特徴とする濾過装置。
【発明の詳細な説明】
【技術分野】
【０００１】
本発明は、原水を濾過して処理水を生成する濾過装置に関する。
【背景技術】
【０００２】
従来、淡水を処理する水処理施設の濾過装置において、長繊維束により淡水中の懸濁物質を捕捉する技術が提案されている（特許文献１、特許文献２および特許文献３参照）。当該濾過装置では、陸上に設置された濾過塔の内部空間に長繊維束が配置され、密閉された濾過塔の上方からポンプにより圧送された原水が供給される。長繊維束は、原水の流れによって屈曲して縮んだ状態となり、当該長繊維束を透過する原水中の懸濁物質が、長繊維束の空隙部等により捕捉される。
【先行技術文献】
【特許文献】
【０００３】
【特許文献１】特許第４５３２２９７号公報
【特許文献２】特許第５３４５５１２号公報
【特許文献３】特開平１１−２０７１０７号公報
【発明の概要】
【発明が解決しようとする課題】
【０００４】
ところで、特許文献１ないし特許文献３では、長繊維束が収容された濾過塔を、濾過対象である淡水中に設置することは想定されていない。また、特許文献１ないし特許文献３では、長繊維束を利用する濾過装置の海水への適用は想定されておらず、当然に、濾過塔を海水中に設置することも全く想定されていない。仮に、濾過装置を海底等の水底に設置しようとすると、法律や条令等により設置条件が厳しく制限される。また、仮に、濾過装置を原水中に浮いた状態で固定しようとすると、当該濾過装置には原水の流れや波等の動きによる力が加わるため、固定に係る構造が大型化し、製造コストも増大するおそれがある。
【０００５】
本発明は、上記課題に鑑みなされたものであり、原水の動きにより濾過装置に加わる力を低減することを目的としている。
【課題を解決するための手段】
【０００６】
請求項１に記載の発明は、原水を濾過して処理水を生成する濾過装置であって、上下方向に延びる筒状であり、外部へと開放された上部開口を有する筒部と、前記筒部の内部空間を上下に分割するとともに液体が通過可能な隔離部と、前記隔離部の上側の空間である上部空間に収容される繊維濾材であり、濾過時に前記隔離部上に圧縮されて前記上部開口から前記内部空間に流入した原水中の懸濁物質を捕捉する繊維部と、濾過時に前記繊維部を通過した処理水を前記隔離部の下側の空間である下部空間から送出する送出部と、前記上部開口が外部の原水面よりも下方に位置し、前記筒部の底部が水底から上方に離間した状態で、前記筒部を原水中に係留する係留索とを備える。
【０００７】
請求項２に記載の発明は、請求項１に記載の濾過装置であって、前記係留索が、前記筒部と陸側に設けられた係留部とを接続することにより、前記筒部を原水中に吊り下げる。
【０００８】
請求項３に記載の発明は、請求項１または２に記載の濾過装置であって、陸側の壁面に平行な接触面を有し、前記筒部の側方に配置される接触部をさらに備え、前記接触部の前記接触面が前記壁面に接触する。
【０００９】
請求項４に記載の発明は、請求項３に記載の濾過装置であって、前記接触部が可撓性を有する。
【００１０】
請求項５に記載の発明は、請求項１または２に記載の濾過装置であって、前記水底から前記原水面よりも上側まで上下方向に延びる複数のガイド索をさらに備え、前記筒部が、前記複数のガイド索に昇降可能に接続される。
【００１１】
請求項６に記載の発明は、請求項１ないし５のいずれか１つに記載の濾過装置であって、前記係留索の張力が調節可能である。
【００１２】
請求項７に記載の発明は、請求項１ないし６のいずれか１つに記載の濾過装置であって、前記筒部に接続される錘をさらに備える。
【００１３】
請求項８に記載の発明は、請求項１ないし７のいずれか１つに記載の濾過装置であって、前記送出部により前記下部空間から送出された処理水を貯溜する処理水貯溜部をさらに備え、前記送出部が、前記筒部の前記下部空間から延びる可撓性を有するフレキシブル配管を備える。
【発明の効果】
【００１４】
本発明では、原水の動きにより濾過装置に加わる力を低減することができる。
【図面の簡単な説明】
【００１５】
【図１】第１の実施の形態に係る濾過装置の構成を示す側面図である。
【図２】濾過装置の一部を示す縦断面図である。
【図３】濾過装置の一部を示す縦断面図である。
【図４】隔離部を示す斜視図である。
【図５】濾過装置の一部を示す平面図である。
【図６】筒部の下部空間を示す底面図である。
【図７】濾過処理の流れを示す図である。
【図８】第２の実施の形態に係る濾過装置の構成を示す側面図である。
【発明を実施するための形態】
【００１６】
図１は、本発明の第１の実施の形態に係る濾過装置１の構成を示す側面図である。濾過装置１は、原水を濾過することにより、原水中の懸濁物質を除去して処理水（すなわち、濾過処理済みの水）を生成する装置である。濾過装置１により濾過される原水は、海水であってもよく、淡水（例えば、河川水、湖沼水、水道水または下水処理水）であってもよい。図１に示す例では、濾過装置１の後述する筒部２は海中に設置され、濾過装置１により濾過される原水は海水である。図１では、濾過装置１が設置される岸壁９２等も併せて描いている。
【００１７】
図２および図３はそれぞれ、濾過装置１の一部を示す縦断面図である。図２は、濾過装置１において原水の濾過が行われている濾過時の状態を示す。図３は、濾過装置１において原水の濾過が行われていない非濾過時の状態を示す。図２および図３では、後述する接触部８２およびフレーム８５の図示を省略している。また、図３では、断面よりも奥側の一部の長繊維束要素４１（後述）を併せて描いている。
【００１８】
濾過装置１は、筒部２と、隔離部３と、繊維部４と、送出部５と、処理水貯溜部６と、係留索８１と、接触部８２と、フレーム８５とを備える。筒部２の全体は海中（すなわち、原水中）に配置される。隔離部３および繊維部４は、筒部２の内部空間２０に配置される。処理水貯溜部６は、例えば、筒部２が配置される海域近傍の陸上に配置される。図１に示す例では、処理水貯溜部６は岸壁９２に設置される。処理水貯溜部６は、好ましくは、筒部２よりも高い位置（すなわち、重力方向において上側）に配置される。送出部５は、筒部２と処理水貯溜部６とを接続する。
【００１９】
筒部２は、上下方向に延びる略筒状の部材である。図１に示す例では、筒部２は、上下方向を向く中心軸Ｊ１を中心とする略円筒状の部材である。当該上下方向は、重力方向とおよそ一致する。筒部２の上下方向に垂直な断面の形状は、例えば、略真円形であってもよく、略楕円形または略長円形であってもよい。
【００２０】
筒部２は、側壁部２１と、底部２２とを備える。側壁部２１は、上下方向に延びる略円筒状の部位である。底部２２は、側壁部２１の下端を閉塞する略円板状の部位である。側壁部２１の上端は閉塞されておらず、側壁部２１の上端縁により囲まれた領域である上部開口２３が形成されている。換言すれば、筒部２は、有底筒状であり、外部（すなわち、筒部２の周囲の海中）へと直接的に開放された上部開口２３を有する。
【００２１】
図１に示す例では、筒部２の上下方向に垂直な断面の直径は、上下方向の全長に亘って略一定である。換言すれば、筒部２の上記断面の面積は、上下方向の全長亘って略一定である。筒部２の直径は、例えば約０．３ｍ〜２．０ｍである。筒部２の高さは、例えば約１．０ｍ〜６．０ｍである。なお、筒部２の上記断面の面積は、必ずしも一定である必要はなく、例えば、側壁部２１の上端から下側に向かうに従って漸次減少または漸次増大してもよい。換言すれば、筒部２の側壁部２１は、上下方向に対してある程度傾斜していてもよい。
【００２２】
筒部２は、係留索８１により原水中に係留される。図１に示す例では、筒部２は、係留索８１により原水中に吊り下げられる。係留索８１は、筒部２と、陸側に設けられた係留部９１とを接続する。係留索８１は、例えば、ロープ、ワイヤーケーブルまたはチェーンである。係留部９１は、例えば、港湾施設の岸壁９２に設けられたビットまたはボラード（すなわち、岸壁９２の地面から上方に突出する金属製の杭部材）である。図１に示す例では、係留索８１は、係留部９１から原水側（すなわち、海側）へと延び、岸壁９２の角部に設けられた樹脂製の防舷材等に接触しつつ、原水面（すなわち、海面）へと斜め下方に延びる。係留索８１の下端部は、例えば、フレーム８５の上端部に接続される。
【００２３】
筒部２の底部２２は、水底（すなわち、海底）から上方に離間している。筒部２の上部開口２３は、外部の海面（すなわち、原水面）よりも下方に位置している。図１では、岸壁９２近傍の水深を実際よりも小さく描いている。筒部２の内部空間２０は、上部開口２３から流入した原水により上部開口２３まで満たされている。詳細には、海面と上部開口２３との間の水頭差により、筒部２の周囲の原水が、上部開口２３を介して筒部２の内部空間２０に流入する。
【００２４】
図１に例示する筒部２の吊り下げ構造では、筒部２は、フレーム８５により支持されている。係留索８１は、フレーム８５に接続され、フレーム８５を介して筒部２に間接的に接続される。図１に示す例では、フレーム８５の外形は、筒部２よりも大きい略直方体状の枠組みである。フレーム８５は、略直方体の各辺に対応する棒状部材と、略直方体の底面に配置される格子状または板状の底部材とを備える。当該棒状部材は、例えば、略円柱状である。これにより、原水の動き（例えば、原水の流れまたは波）による影響を低減することができる。係留索８１の下端部は、例えば、フレーム８５の上面の４つの角部に接続される。
【００２５】
筒部２は、上記棒状部材に囲まれ、上記底部材上に固定される。図１に示す例では、筒部２のおよそ全体がフレーム８５の内側に位置する。換言すれば、フレーム８５の各面から見た状態で、筒部２のおよそ全体がフレーム８５の外形の内部に位置する。
【００２６】
フレーム８５の側面のうち、岸壁９２の側面９３（以下、「岸壁面９３」と呼ぶ。）に対向する側面には、接触部８２が設けられる。図１では、図の理解を容易にするために、接触部８２に平行斜線を付している。接触部８２は、略平板状の部材であり、フレーム８５の当該側面に固定される。換言すれば、接触部８２は、筒部２の側方に配置される。
【００２７】
接触部８２は、可撓性を有する部材であり、好ましくは樹脂製である。接触部８２は、岸壁面９３（すなわち、陸側の壁面）に平行な接触面８２１を有する。筒部２が係留索８１により岸壁９２に吊り下げられた状態では、接触部８２の接触面８２１は岸壁面９３に面接触する。筒部２は、接触部８２を間に挟んで、岸壁面９３近傍に配置される。
【００２８】
図１に示す例では、接触部８２は、フレーム８５の上記側面の略全面に亘って設けられる略矩形板状の部材である。したがって、接触面８２１に垂直な方向の側面視において、筒部２の全体は接触部８２と重なる。なお、筒部２は、接触面８２１に垂直な方向の側面視において、接触部８２と部分的に重なってもよく、全く重ならなくてもよい。
【００２９】
隔離部３は、筒部２の内部空間２０の下部（すなわち、筒部２の上下方向の中央部よりも下側）において、上下方向に略垂直に広がる部材である。隔離部３は、筒部２により支持され、筒部２の内部空間２０を上下に分割する。隔離部３は、筒部２の上下方向に垂直な断面の略全体に亘って広がる。隔離部３は、液体が通過可能な部材である。
【００３０】
図４は、隔離部３の一例を示す斜視図である。図４に示す例では、隔離部３は、固定部３１と、支持部３２とを備える。図４では、固定部３１と支持部３２とを上下に離して描いている。固定部３１および支持部３２はそれぞれ、液体が通過可能な略円板状の部材であり、筒部２の上下方向に垂直な断面の略全体に亘って広がる。固定部３１には、繊維部４（図３参照）の下端部が固定される。図３に示すように、繊維部４は、固定部３１の上側に位置する。支持部３２は、筒部２の内側面に固定されている。固定部３１は、支持部３２の上面上に配置され、支持部３２に対して着脱可能に取り付けられる。
【００３１】
図４に示す例では、固定部３１は、網部３１１と、枠部３１２とを備える。枠部３１２は、網部３１１の周囲を囲む略円環状の部位である。網部３１１は、例えば、金属製または樹脂製の線状部材が格子状に配置された網状の部位である。網部３１１の外周部は枠部３１２に固定される。支持部３２は、上下方向に貫通する複数の貫通孔を有する板状部材である。支持部３２としては、例えば、グレーチングもしくはウェッジワイヤースクリーン等の格子状部材、または、多数の貫通孔が略均等に分散配置された板状部材が利用される。図４に示す例では、支持部３２としてグレーチングが利用される。支持部３２の複数の開口（すなわち、複数の貫通孔の開口）はそれぞれ、固定部３１の各開口よりも大きい。固定部３１の開口は、好ましくは１０ｍｍ四方よりも大きく、より好ましくは２０ｍｍ四方よりも大きい。なお、支持部３２の開口と固定部３１の開口との大小関係は適宜変更されてよい。
【００３２】
固定部３１の支持部３２に対する取り付けは、例えば、支持部３２の外周部に設けられた接続機構により、固定部３１の枠部３１２を挟持することにより行われてもよい。あるいは、固定部３１と支持部３２とが、結束バンド等により接続されてもよい。なお、隔離部３は、必ずしも固定部３１および支持部３２を備える必要はなく、一繋がりの部材であってもよい。
【００３３】
図２および図３に示す繊維部４は、筒部２の内部空間２０のうち、隔離部３の上側の空間（以下、「上部空間２０１」と呼ぶ。）に収容される繊維濾材である。具体的には、繊維部４は長繊維束である。上述のように、繊維部４の下端部は、隔離部３の固定部３１に固定される。換言すれば、繊維部４の下端部は、隔離部３（すなわち、固定部３１および支持部３２）を介して筒部２に間接的に固定される。濾過装置１において原水の濾過が行われていない非濾過時には、繊維部４は、下端部が隔離部３に固定された状態で筒部２の上部空間２０１において上下方向に延びる。非濾過時における繊維部４は、圧縮されていない伸張状態（すなわち、非圧縮状態）である。
【００３４】
隔離部３と伸張状態の繊維部４の上端との間の上下方向の距離は、好ましくは、隔離部３と上部開口２３との間の上下方向の距離の８０％以上かつ１２０％以下であり、さらに好ましくは、９０％以上かつ１１０％以下である。図３に示す例では、伸張状態の繊維部４の上端は、筒部２の上部開口２３と上下方向において略同じ位置に位置する。なお、図３に示す例では、伸張状態の繊維部４の上端は、上下方向において上部開口２３と厳密に同じ位置に位置する必要はなく、実質的に同じ位置に位置していればよい。
【００３５】
濾過装置１における原水の濾過時には、繊維部４は、筒部２の内部空間２０を下方へと流れる原水により折れ曲がり、隔離部３上に圧縮（すなわち、圧密）される。そして、圧縮状態の繊維部４により、筒部２の上部開口２３から内部空間２０に流入した原水中の懸濁物質が捕捉され、原水中から懸濁物質が除去される。以下の説明では、濾過時に繊維部４を通過して懸濁物質が除去された水を「処理水」と呼ぶ。懸濁物質とは、水中に浮遊する粒子径２ｍｍ以下の不溶解性物質であり、浮遊物質とも呼ばれる。懸濁物質は、各種無機物または有機物であり、例えば、浮遊砂や海生生物を含む。
【００３６】
繊維部４は、複数の繊維濾材要素である長繊維束要素４１を含む。伸張状態の長繊維束要素４１は、上下方向に延びる複数の長繊維を柱状に束ねた部材である。伸張状態の長繊維束要素４１の長さは、例えば、５０ｃｍ〜２００ｃｍであり、筒部２の高さに合わせる等して適宜決定される。
【００３７】
図５は、非濾過時の濾過装置１の一部を示す平面図である。図５では、長繊維束要素４１を実際よりも大きく描き、長繊維束要素４１の数を実際よりも少なく描いている。長繊維束要素４１の平面視における形状は、例えば略円形である。長繊維束要素４１の平面視における直径は、例えば、３０〜１００ｍｍである。長繊維束要素４１の平面視における形状は、例えば、略真円形であってもよく、略楕円形または略長円形であってもよい。長繊維束要素４１の乾燥重量（以下、単に「重量」という。）は、例えば５０〜１０００ｇである。平面視における単位面積当たりの長繊維束要素４１の重量は、例えば３０〜９０ｋｇ／ｍ２である。長繊維束要素４１の長さ、重量、形状等は、適宜変更されてよい。
【００３８】
図５に示す例では、繊維部４の複数の長繊維束要素４１は、筒部２の中心軸Ｊ１を中心として同心円状に配置される。当該同心円の各円周上に配置される複数の長繊維束要素４１は、略等角度間隔に配置される。換言すれば、複数の長繊維束要素４１は、中心軸Ｊ１を中心として、平面視において略点対称に配置される。また、一の円周上に配置される長繊維束要素４１と、隣接する円周上に配置される長繊維束要素４１との間の最短距離は、いずれの円周上の長繊維束要素４１についてもおよそ同じであることが好ましい。さらに、最外周に配置される複数の長繊維束要素４１は、筒部２の側壁部２１に接触することが好ましい。長繊維束要素４１の数は、図５に示すものよりも多くても少なくてもよい。
【００３９】
長繊維束要素４１は、多数の長繊維（すなわち、糸）を束ねて下端部にて互いに固定することにより形成される。長繊維束要素４１を構成する長繊維は、例えば、ポリエステル製のマルチフィラメントである。当該長繊維の繊維径およびフィラメント数は、例えば、２２００ｄｔｅｘ（デシテックス）および４３２本である。当該長繊維には、例えば捲縮加工が施されている。当該長繊維の捲縮数は、例えば４〜７個／２５ｍｍである。なお、長繊維束要素４１を構成する長繊維の繊維径、フィラメント数、捲縮数および材料は、適宜変更されてよい。また、当該長繊維は、モノフィラメントであってもよい。
【００４０】
図３に示す例では、複数の長繊維束要素４１の下端部はそれぞれ、接続部材４２を介して隔離部３に間接的に固定される。接続部材４２は、柔軟で容易に変形可能な紐状の部材である。接続部材４２は、例えば、網状の固定部３１において、複数の結節点のうちいずれかに固定される。固定部３１は比較的多数の結節点を有するため、複数の長繊維束要素４１の配置の自由度を向上することができる。伸張状態の繊維部４では、長繊維束要素４１が上下方向に延び、接続部材４２も上下方向に延びる。これにより、長繊維束要素４１の下端部は、隔離部３から上方に離間する。なお、繊維部４では、接続部材４２が省略され、長繊維束要素４１の下端部が、隔離部３に直接的に固定されてもよい。
【００４１】
濾過装置１では、原水の濾過時に繊維部４を通過した処理水（すなわち、繊維部４により懸濁物質が除去された海水）は、隔離部３を通過し、隔離部３の下側の空間である下部空間２０２に流入する。送出部５は、下部空間２０２内の処理水を、岸壁９２等に設置された処理水貯溜部６へと送出する。処理水貯溜部６は、送出部５により下部空間２０２から送出された処理水を貯溜する。
【００４２】
送出部５は、送出ポート５０と、配管５１とを備える。送出ポート５０は、筒部２の下部空間２０２に設けられ、下部空間２０２内の処理水を外部へと導く。送出ポート５０は、例えば、側面に複数の開口が設けられたパイプである。配管５１は、送出ポート５０に接続され、筒部２の下部空間２０２と処理水貯溜部６とを接続する。
【００４３】
配管５１は、フレキシブル配管５１１と、固定配管５１２とを備える。フレキシブル配管５１１は、送出ポート５０に接続され、筒部２の下部空間２０２から処理水貯溜部６に向かって延びる可撓性を有する配管である。固定配管５１２は、フレキシブル配管５１１と処理水貯溜部６とを接続する配管である。フレキシブル配管５１１は、例えば樹脂製のホースであり、筒部２の動きに追従して変形可能である。固定配管５１２は、例えば、可撓性を有しない金属製の配管である。なお、固定配管５１２は省略されてもよい。この場合、フレキシブル配管５１１により、筒部２の下部空間２０２と処理水貯溜部６とが直接的に接続される。
【００４４】
濾過装置１における原水の濾過時には、図示省略のポンプにより筒部２の下部空間２０２から処理水が吸引され、配管５１を介して処理水貯溜部６へと供給される。また、ポンプによる吸引により、筒部２の内部空間２０において上側から下側に向かう海水の流れが形成される。
【００４５】
図６は、筒部２の下部空間２０２を示す底面図である。図６では、伸張状態の複数の長繊維束要素４１を二点鎖線にて併せて描いている。筒部２の下部空間２０２には、繊維部４の洗浄に利用される給気部７が配置される。給気部７は、下部空間２０２の横断面（すなわち、上下方向に垂直な断面）の略全体に広がる散気管７１を備える。散気管７１は、径方向に延びる主管と、主管から側方に延びる複数の枝管とを備える。散気管７１には、複数の給気口７２が設けられる。散気管７１は、陸上に配置されたガス供給源（図示省略）に接続されており、ガス供給源から供給されたガスを、複数の給気口７２から下部空間２０２へと送出する。散気管７１から下部空間２０２へと送出されたガスは、隔離部３の下側から上部空間２０１へと供給され、繊維部４の洗浄に利用される。当該ガスは、例えば空気である。散気管７１からは、空気以外のガスが供給されてもよい。繊維部４の洗浄の詳細については後述する。
【００４６】
複数の給気口７２は、例えば、散気管７１の下端部（すなわち、隔離部３とは反対側の端部）に配置される。また、複数の給気口７２は、例えば、伸張状態の繊維部４における複数の長繊維束要素４１の鉛直下方にそれぞれ位置する。長繊維束要素４１の下端と、当該長繊維束要素４１の鉛直下方に位置する給気口７２との間の上下方向の距離は、好ましくは１００〜５００ｍｍであり、より好ましくは２００〜３００ｍｍである。
【００４７】
次に、濾過装置１による原水の濾過処理について、図７を参照しつつ説明する。濾過装置１の駆動前の状態では、筒部２の内部空間２０は海水によって満たされており、内部空間２０内における海水の流れはない。また、繊維部４の複数の長繊維束要素４１は、図３に示すように、伸張状態で上下方向に延びている。
【００４８】
濾過装置１において海水の濾過が開始されると、筒部２の下部空間２０２内の海水が、送出ポート５０および配管５１を介して吸引される。この時点での下部空間２０２内の海水は、繊維部４により濾過された処理水ではなく、懸濁物質を含んでいるため、処理水貯溜部６に貯溜されることなく海に捨てられる。以下の説明では、濾過開始時に行われる海水を捨てる上記処理を「捨て水処理」と呼ぶ。
【００４９】
筒部２の内部空間２０では、下向きの海水の流れが形成され、当該流れにより、図２に示すように繊維部４が隔離部３上に圧縮される。繊維部４の圧縮が行われる際には、上述のポンプにより吸引される海水の流量（以下、「取水流量」という。）は、例えば、線速度（ＬＶ）１０００〜２０００ｍ／日であり、本実施の形態では、約ＬＶ１５００ｍ／日である。そして、圧縮状態の繊維部４により、原水中の懸濁物質が除去されて処理水が生成される。処理水は、隔離部３を通過して筒部２の下部空間２０２に流入する。
【００５０】
濾過装置１では、繊維部４の圧縮が完了するまでの間、および、繊維部４の圧縮完了後の所定の時間、上述の捨て水処理が行われる（ステップＳ１１）。圧縮完了時における繊維部４の初期損失水頭は、取水流量がＬＶ１０００ｍ／日の場合、約０．６ｍ以上であることが好ましい。また、ステップＳ１１に要する時間は、例えば、約３０秒〜約１分である。
【００５１】
繊維部４の圧縮および捨て水処理が終了すると、圧縮状態の繊維部４により原水が濾過されて生成された処理水が、筒部２の下部空間２０２から、送出ポート５０および配管５１を介して処理水貯溜部６へと供給されて貯溜される（ステップＳ１２）。ステップＳ１２の取水処理時における取水流量は、例えば、ＬＶ５００〜２０００ｍ／日であり、本実施の形態では、約ＬＶ１０００ｍ／日である。濾過装置１では、例えば、取水処理の開始から所定時間の経過後、取水処理が停止される。あるいは、繊維部４の損失水頭を圧力計等により測定しておき、例えば、当該損失水頭が２ｍ以上になった場合に取水処理が停止される。
【００５２】
濾過装置１では、筒部２の上部にて外部へと開放された上部開口２３から原水を流入させ、当該原水を筒部２内の繊維部４にて濾過することにより、簡素な構造で原水の濾過を実現することができる。また、筒部２は、上部開口２３が外部の原水面よりも下方に位置した状態で原水中に配置される。これにより、原水面と上部開口２３との間の水頭差により、筒部２の内部空間２０に原水が自然に流入する。したがって、筒部２への原水の供給を簡素化することができる。
【００５３】
取水処理が停止されると、上述のポンプが駆動されることにより、処理水貯溜部６に貯溜されている処理水が、配管５１および送出ポート５０を介して、筒部２の下部空間２０２に供給される。下部空間２０２への処理水の供給流量は、例えば、ＬＶ５００〜２０００ｍ／日であり、本実施の形態では、約ＬＶ１０００ｍ／日である。
【００５４】
下部空間２０２に供給された処理水は、筒部２の内部空間２０において、隔離部３を通過して上部空間２０１へと流れる。これにより、筒部２の内部空間２０に上向きの処理水の流れが形成される。その結果、繊維部４が受ける流体力により、圧縮されていた各長繊維束要素４１が上方へと延び、図３に示すように伸張状態となる。筒部２の上部開口２３に到達した海水は、内部空間２０から上部開口２３を介して外部へと流出する。
【００５５】
続いて、下部空間２０２への処理水の供給が継続されている状態で、上述のガス供給源から散気管７１を介して下部空間２０２に空気が供給される。下部空間２０２への空気の供給流量は、例えば、ＬＶ２〜２０ｍ／分であり、本実施の形態では約ＬＶ９ｍ／分である。ガス供給部から散気管７１へのガスの供給は、例えば、パルス状に（すなわち、間欠的に）行われる。ガス供給部から散気管７１へのガスの供給は、例えば、連続的に行われてもよい。
【００５６】
散気管７１の複数の給気口７２（図６参照）から送出された空気の気泡は、隔離部３を通過して上部空間２０１に供給される。上部空間２０１では、上向きに流れる処理水および空気の気泡（すなわち、気液混相流）により、繊維部４の洗浄が行われる。具体的には、当該気液混相流により、複数の長繊維束要素４１が揺動され、各長繊維束要素４１に付着している懸濁物質が洗い流される。長繊維束要素４１から除去された懸濁物質は、気液混相流により上方へと運ばれ、筒部２の上部空間２０１から上部開口２３を介して外部へと排出されて拡散する。これにより、繊維部４の洗浄を容易とすることができる。
【００５７】
下部空間２０２への空気の供給開始から所定の時間が経過すると、下部空間２０２への処理水の供給が継続された状態で、空気の供給が停止される。上部空間２０１では、上向きに流れる処理水により、長繊維束要素４１に付着している空気の気泡が、長繊維束要素４１から除去されて筒部２の外部へと排出される。その後、下部空間２０２への処理水の供給が停止されることにより、繊維部４の洗浄処理が終了する（ステップＳ１３）。
【００５８】
上述の洗浄処理では、処理水の下部空間２０２への供給を開始し、処理水の供給開始から例えば約３０秒後に、下部空間２０２への空気の供給を開始する。そして、処理水および空気の供給を、例えば約８分間以上継続した後に、空気の供給を停止し、最後に処理水の供給を停止する。濾過装置１では、洗浄処理の方法や処理時間は適宜変更されてよい。例えば、下部空間２０２に対する空気の供給は、処理水の供給開始と同時に開始されてもよい。また、下部空間２０２に対する空気の供給停止と同時に、処理水の供給も停止されてもよい。また、空気以外のガスが、散気管７１から下部空間２０２に供給されてもよい。
【００５９】
濾過装置１では、上述のステップＳ１１〜Ｓ１３が繰り返されることにより、繊維部４の目詰まりを防止しつつ、処理水の取得が行われる。取得された処理水は、例えば、海水淡水化プラント、発電所、漁港、水族館または水産加工施設等で利用される。なお、繊維部４の汚れの程度によっては、ステップＳ１２の取水処理と次のステップＳ１１の捨て水処理との間で、ステップＳ１３の洗浄処理が複数回行われてもよい。なお、繊維部４の洗浄処理において下部空間２０２に供給される液体は、上述の処理水以外の洗浄用の水等であってもよい。
【００６０】
以上に説明したように、濾過装置１は、筒部２と、隔離部３と、繊維部４と、送出部５と、係留索８１とを備える。筒部２は、上下方向に延びる筒状であり、外部へと開放された上部開口２３を有する。隔離部３は、筒部２の内部空間２０を上下に分割する。隔離部３は、液体が通過可能である。繊維部４は、隔離部３の上側の空間である上部空間２０１に収容される繊維濾材である。繊維部４は、濾過時に隔離部３上に圧縮されて上部開口２３から内部空間２０に流入した原水中の懸濁物質を捕捉する。送出部５は、濾過時に繊維部４を通過した処理水を、隔離部３の下側の空間である下部空間２０２から送出する。係留索８１は、筒部２を原水中に係留する。筒部２は、上部開口２３が外部の原水面よりも下方に位置し、筒部２の底部２２が水底から上方に離間した状態で係留される。
【００６１】
このように、筒部２を水底（すなわち、海底）から上方に離間させた状態で濾過装置１を設置することにより、筒部２を水底に設置する場合に比べて、法律や条令等による設置規制が緩和される。したがって、濾過装置１の構造および設置等に関する自由度を向上することができる。また、濾過装置１では、係留索８１により筒部２を原水中に係留しているため、原水の動き（例えば、原水の流れまたは波）によって筒部２が多少揺動する。このように、筒部２を揺動可能とすることにより、原水中の水底よりも上方にて揺動しないように筒部が固定される場合に比べて、原水の動きにより濾過装置１に加わる力（すなわち、筒部２およびその周囲の構造に加わる力）を低減することができる。その結果、濾過装置１の構造を簡素化することができ、濾過装置１の製造コストおよび設置コスト等を低減することができる。
【００６２】
濾過装置１では、係留索８１が、筒部２と陸側に設けられた係留部９１とを接続することにより、筒部２を原水中に吊り下げる。これにより、筒部２の係留に係る構造を簡素化することができる。その結果、濾過装置１の構造をさらに簡素化することができ、濾過装置１の製造コストおよび設置コスト等をより一層低減することができる。
【００６３】
上述のように、濾過装置１は、筒部２の側方に配置される接触部８２をさらに備える。接触部８２は、陸側の壁面（すなわち、岸壁面９３）に平行な接触面を有する。接触部８２の接触面８２１は、岸壁面９３に接触する。これにより、筒部２が揺動した場合等に、筒部２と岸壁面９３との直接的な接触を防止または抑制し、当該接触による筒部２の損傷を防止または抑制することができる。その結果、筒部２の係留に係る構造を簡素化することができる。また、濾過装置１では、接触部８２と岸壁面９３との間に働く摩擦力により、接触部８２が岸壁面９３に沿って移動することが抑制される。その結果、筒部２の揺動を抑制することができる。さらに、岸壁面９３と接触部８２との間に生じる壁面効果により、接触部８２の接触面８２１が岸壁面９３に吸着される。その結果、接触部８２の岸壁面９３に沿う移動がより一層抑制されるため、筒部２の揺動をさらに抑制することができる。
【００６４】
上述のように、接触部８２は可撓性を有する。これにより、接触部８２と岸壁面９３との間に働く摩擦力を大きくすることができ、接触部８２が岸壁面９３に沿って移動することがさらに抑制される。また、岸壁面９３に凹凸が存在する場合であっても、接触面８２１が当該凹凸に倣って変形するため、接触部８２と岸壁面９３との密着性が向上される。その結果、筒部２の揺動をより一層抑制することができる。
【００６５】
濾過装置１では、接触面８２１に垂直な方向の側面視において、筒部２の全体は接触部８２と重なる。これにより、接触面８２１が大きくなるため、筒部２の揺動をさらに抑制することができる。また、筒部２が揺動した場合であっても、筒部２が岸壁面９３に直接的に接触して損傷することを防止することができる。
【００６６】
上述のように、濾過装置１は、送出部５により下部空間２０２から送出された処理水を貯溜する処理水貯溜部６をさらに備える。また、送出部５は、筒部２の下部空間２０２から延びる可撓性を有するフレキシブル配管５１１を備える。フレキシブル配管５１１は、筒部２が揺動した場合であっても揺動に追従して変形可能である。したがって、筒部２の揺動による送出部５の損傷を防止または抑制することができる。
【００６７】
次に、本発明の第２の実施の形態に係る濾過装置１ａについて説明する。図８は、濾過装置１ａの構成を示す側面図である。濾過装置１ａでは、筒部２を原水中に吊り下げるための構造が濾過装置１とは異なる。濾過装置１ａの他の構造は、図１ないし図６に示す濾過装置１と略同様である。以下の説明では、濾過装置１の各構成に対応する濾過装置１ａの構成に同符号を付す。
【００６８】
濾過装置１ａによる原水の濾過処理の流れは、図７に示すものと同様である。
【００６９】
濾過装置１ａは、上述のフレーム８５に代えて、原水中にて上下方向に延びる複数のガイド索８６を備える。図８に示す例では、複数のガイド索８６が筒部２の周囲に配置される。好ましくは、３本以上のガイド索８６が、平面視において筒部２を略中心とする多角形の頂点上、または、筒部２を略中心とする円周上に配置される。ガイド索８６は、例えば、ロープ、ワイヤーケーブルまたはチェーンである。
【００７０】
各ガイド索８６の下端部は、水底（すなわち、海底）に設けられた基部９４に接続される。各ガイド索８６の上端部は、当該基部の略鉛直上方において原水面よりも上側に配置された支持部材９５を介して、岸壁９２に設けられた固定部９６に接続される。すなわち、複数のガイド索８６はそれぞれ、水底から原水面よりも上側まで上下方向に延びる。固定部９６は、例えばビットまたはボラードである。
【００７１】
筒部２は、複数の接続部材８７を介して複数のガイド索８６に間接的に接続される。図８に示す例では、各ガイド索８６に２つの接続部材８７が接続されており、当該２つの接続部材８７は、筒部２の上端部および下端部に接続される。また、図８に示す例では、接続部材８７は、ガイド索８６が挿入される円筒状または円環状の第１部位と、当該第１部位と筒部２とを接続する線状または棒状の部材（例えば、ワイヤーケーブルまたは金属棒）とを備える。各接続部材８７は、ガイド索８６に沿って上下方向に移動可能である。すなわち、筒部２は、複数のガイド索８６に昇降可能に接続される。なお、筒部２は、複数のガイド索８６に直接的に接続されてもよい。
【００７２】
係留索８１の下端部は、筒部２の上端部に接続される。図８に示す例では、係留索８１は、筒部２の上端部にＩボルト等により接続された略矩形枠状の中間部材８５ａを介して、筒部２に間接的に接続される。中間部材８５ａは、筒部２の上部開口２３から上方に離間した位置に位置する。なお、係留索８１は、筒部２の上端部に直接的に接続されてもよい。係留索８１は、筒部２から略鉛直上方へと延び、滑車９７を介して陸側へと延びる。係留索８１の陸側の端部は、岸壁９２上に設けられた係留部９１ａに接続される。
【００７３】
係留部９１ａは、例えば、係留索８１の巻き取りおよび巻き出しが可能なウインチである。係留部９１ａにより係留索８１が巻き取られることにより、複数のガイド索８６に沿って筒部２が上方へと移動する。また、係留部９１ａにより係留索８１が巻き出されることにより、複数のガイド索８６に沿って筒部２が下方へと移動する。濾過装置１ａでは、筒部２の上下方向の位置が決定されると、ガイド索８６にストッパ８８を取り付けることにより、各接続部材８７がガイド索８６に対して固定される。これにより、筒部２のガイド索８６に対する上下方向の相対位置が固定される。ストッパ８８は、例えば、ボルト等によりガイド索８６に固定可能ないわゆるワイヤーストッパである。なお、接続部材８７のガイド索８６への固定は、様々な方法により行われてよい。
【００７４】
濾過装置１ａでは、筒部２の上下方向の位置が固定された状態で、係留部９１ａにより係留索８１が少し巻き取られることにより、係留索８１に加わる張力が増大する。また、筒部２の上下方向の位置が固定された状態で、係留部９１ａから係留索８１が少し巻き出されることにより、係留索８１に加わる張力が減少する。このように、濾過装置１ａでは、係留部９１ａにより係留索８１の張力が調節可能である。
【００７５】
濾過装置１ａでは、図１に示す濾過装置１と同様に、筒部２を水底から上方に離間させて設置することにより、濾過装置１ａの構造および設置等に関する自由度を向上することができる。また、筒部２を係留して揺動可能とすることにより、原水の動きにより濾過装置１ａに加わる力を低減することができる。その結果、濾過装置１ａの構造を簡素化することができ、濾過装置１ａの製造コストおよび設置コスト等を低減することができる。さらに、係留索８１により筒部２を原水中に吊り下げることによって、筒部２の係留に係る構造を簡素化することができる。その結果、濾過装置１ａの構造をさらに簡素化することができ、濾過装置１ａの製造コストおよび設置コスト等をより一層低減することができる。
【００７６】
上述のように、濾過装置１ａは、水底から原水面よりも上側まで上下方向に延びる複数のガイド索８６をさらに備える。また、筒部２は、複数のガイド索８６に接続される。これにより、原水の動きによる筒部２の揺動を抑制することができる。また、原水の動き（例えば、潮流）により筒部２が水平方向に移動した場合、ガイド索８６を陸側に引っ張ることにより、筒部２の位置を元に戻すこともできる。筒部２は、複数のガイド索８６に昇降可能に接続される。これにより、筒部２の上下方向の位置決定を容易とすることができる。さらに、繊維部４のメンテナンス時等に、筒部２を原水中から容易に引き上げることができる。
【００７７】
上述のように、濾過装置１ａでは、係留索８１の張力が調節可能である。係留索８１の張力を増大させることにより、いわゆるテンション係留を行い、筒部２の揺動をさらに抑制することができる。また、係留索８１の張力を減少させることにより、筒部２、係留索８１、接続部材８７およびガイド索８６をまとめた構成の固有振動数が変更される。その結果、当該構成と原水の動きとの共振（例えば、波の代表周期における共振）を防止または抑制することができ、筒部２の揺動をさらに抑制することができる。
【００７８】
濾過装置１ａでは、係留索８１の陸側の端部は、巻き取りおよび巻き出し機能を有しないビットまたはボラード等である係留部９１（図１参照）に接続されてもよい。この場合、係留部９１と滑車９７との間に、係留索８１を引っ張る引張機構が設けられ、当該引張機構により係留索８１の張力が調節可能とされてもよい。なお、筒部２を上下方向に移動させる際には、係留索８１の端部が係留部９１から外され、ウインチ等に接続される。
【００７９】
濾過装置１ａでは、ガイド索８６の陸側の端部がウインチ等に接続されることにより、ガイド索８６の張力が調節可能とされてもよい。この場合、原水の動き（例えば、潮流）に合わせてガイド索８６の張力を減少または増大させることにより、筒部２の揺動をさらに抑制することができる。
【００８０】
図８に例示する濾過装置１ａは、筒部２に接続される錘８９をさらに備える。これにより、筒部２の固有振動数を変更し、筒部２と原水の動きとの共振（例えば、波の代表周期における共振）を防止または抑制することができる。その結果、筒部２の揺動をさらに抑制することができる。錘８９は、例えば、金属またはコンクリートのブロックである。錘８９は、例えば、筒部２の底部２２に固定される。錘８９は、図１に示す濾過装置１の筒部２に接続されてもよい。この場合も、上記と同様に、筒部２の揺動をさらに抑制することができる。
【００８１】
図１に示す濾過装置１では、係留索８１の陸側の端部が、巻き取りおよび巻き出し機能を有するウインチ等である係留部９１ａ（図８参照）に接続されてもよい。この場合、筒部２およびフレーム８５の上下方向の移動を制限しつつ、係留部９１ａにより係留索８１を巻き取り、または、巻き出すことにより、係留索８１の張力を調節可能である。濾過装置１では、係留部９１ａにより係留索８１を少し巻き取って係留索８１の張力を増大させることにより、上記と同様に、筒部２の揺動をさらに抑制することができる。また、係留部９１ａにより係留索８１を少し巻き出して係留索８１の張力を減少させることにより、原水の動きとの共振を防止または抑制し、筒部２の揺動をさらに抑制することができる。なお、筒部２およびフレーム８５の上下方向の移動制限は、たとえば、岸壁面９３から側方に突出する凸部を接触部８２の上端部および下端部に接触させることにより実現される。あるいは、当該移動制限は、接触部８２と岸壁面９３との摩擦力により実現されてもよい。
【００８２】
上述の濾過装置１，１ａでは、様々な変更が可能である。
【００８３】
例えば、濾過装置１では、接触部８２は、必ずしも略直方体であるフレーム８５の側面の全面に亘って設けられる必要はない。接触部８２は、例えば、フレーム８５の当該側面を部分的に覆う部材であってもよい。接触部８２の形状は、様々に変更されてよい。例えば、接触面８２１に垂直な方向の側面視における接触部８２の形状は、略円形、略長円形、略多角形等であってもよい。
【００８４】
接触部８２は、複数の接触部要素を備えていてもよい。例えば、接触部８２は、フレーム８５の上記側面の４つの角部に互いに離間して配置される４つの接触部要素を備えていてもよい。各接触部要素は、例えば、上記側面の角部を覆う略矩形板状の部材である。各接触部要素の形状は、様々に変更されてよい。例えば、接触面８２１に垂直な方向の側面視における各接触部要素の形状は、略円形、略長円形、略多角形等であってもよい。
【００８５】
フレーム８５の外形、構造および大きさ等は適宜変更されてよい。例えば、フレーム８５の外形は、筒部２の周囲を囲む略円筒状であってもよい。濾過装置１では、フレーム８５は省略され、係留索８１が筒部２の上端部等に直接的に接続されてもよい。
【００８６】
濾過装置１では、接触部８２は必ずしも可撓性を有する必要はない。また、接触部８２は、筒部２に直接的に固定されてもよい。なお、接触部８２は省略されてもよい。
【００８７】
濾過装置１，１ａでは、繊維部４に含まれる長繊維束要素４１の配置および数は、適宜変更されてよい。例えば、複数の長繊維束要素４１の配置は、同心円状には限定されず、格子配置または最密充填配置であってもよい。繊維部４は、１つの長繊維束要素４１のみを含んでいてもよい。
【００８８】
濾過装置１，１ａでは、筒部２は、必ずしも円筒状には限定されず、例えば矩形筒状（すなわち、直方体状）であってもよい。濾過装置１，１ａでは、複数の長繊維束要素４１が、筒部２の内側面に沿って略等間隔にて配置されることが好ましいため、筒部２が矩形筒状である場合、複数の長繊維束要素４１は格子状に配置されることが好ましい。筒部２は、多角筒状であってもよい。また、筒部２は、末広がり型または上広がり型の円錐台状であってもよく、末広がり型または上広がり型の多角錐台状であってもよい。
【００８９】
濾過装置１，１ａでは、筒部２の上部開口２３は、必ずしも筒部２の上端縁により囲まれた領域である必要はない。例えば、筒部２の上端が閉塞されており、上部開口２３が筒部２の上部側面（すなわち、側壁部２１の上部）に位置していてもよい。この場合、伸張状態の繊維部４の上端（すなわち、各長繊維束要素４１の上端）は、上部開口２３の下端と上下方向において略同じ位置に位置することが好ましい。
【００９０】
濾過装置１，１ａでは、繊維部４は、上述の長繊維束には限定されず、他の様々な繊維濾材であってもよい。例えば、繊維部４は短繊維により形成されてもよい。あるいは、芯糸に長繊維等が巻き付けられたモール状の繊維濾材が、繊維部４として利用されてもよい。また、濾過装置１，１ａでは、複数の球状の繊維濾材（すなわち、複数の繊維塊）が、繊維部４として筒部２の上部空間２０１に収容されていてもよい。この場合、筒部２の上部開口２３は、液体が通過可能な部材（例えば、グレーチングまたはウェッジワイヤースクリーン）により形成された蓋部により覆われる。蓋部に設けられている複数の開口は、各繊維塊よりも小さい。なお、当該繊維塊は、球状には限定されず、例えば、略円柱状または略角柱状であってもよい。
【００９１】
濾過装置１，１ａでは、係留索８１の張力は必ずしも調節可能である必要はない。また、濾過装置１，１ａでは、錘８９は省略されてもよい。濾過装置１の送出部５では、配管５１からフレキシブル配管５１１が省略されてもよい。濾過装置１ａにおいても同様である。
【００９２】
濾過装置１，１ａでは、筒部２は必ずしも港湾施設の岸壁９２から海中に吊り下げられる必要はなく、各種原水に面する様々な施設において、原水中に吊り下げられてよい。また、濾過装置１，１ａでは、筒部２は係留索８１によって原水中に係留されていればよく、必ずしも吊り下げられる必要はない。例えば、係留索８１の下端部が海底に固定され、係留索８１の上端部が海上または海中に浮かぶ浮体に接続され、当該浮体により海中の筒部２が支持されてもよい。このような場合であっても、係留索８１により筒部２が原水中に係留されて揺動可能とされることによって、原水の動きにより濾過装置１，１ａに加わる力を低減することができる。
【００９３】
上記実施の形態および各変形例における構成は、相互に矛盾しない限り適宜組み合わされてよい。
【符号の説明】
【００９４】
１，１ａ    濾過装置
２    筒部
３    隔離部
４    繊維部
５    送出部
６    処理水貯溜部
２０    （筒部の）内部空間
２２    （筒部の）底部
２３    （筒部の）上部開口
８１    係留索
８２    接触部
８６    ガイド索
８９    錘
９１，９１ａ    係留部
９３    岸壁面
２０１    （筒部の）上部空間
２０２    （筒部の）下部空間
５１１    フレキシブル配管
８２１    接触面
Ｓ１１〜Ｓ１３    ステップ
【図１】
2019126750.tif 000003
【図２】
2019126750.tif 000004
【図３】
2019126750.tif 000005
【図４】
2019126750.tif 000006
【図５】
2019126750.tif 000007
【図６】
2019126750.tif 000008
【図７】
2019126750.tif 000009
【図８】
2019126750.tif 000010